【手続補正書】
【提出日】平成26年5月8日(2014.5.8)
【手続補正１】
【補正対象書類名】特許請求の範囲
【補正対象項目名】全文
【補正方法】変更
【補正の内容】
【特許請求の範囲】
【請求項１】
複数の変換サイズを用いて得られる、ピクチャの少なくとも一部分に対する複数の変換係数を符号化するビデオ符号化器を備える装置であって、該ビデオ符号化器は、
コンテキスト共有マップを生成するための規則を決定する決定発生器であって、前記コンテキスト共有マップが、複数の異なる変換係数位置の間で共有される所与の２値でないシンタックス要素を一意的にマッピングすることによって作成された２値シーケンスの１つまたは複数のビンに対する確率モデルを示すマップとして定義される、前記決定発生器と、
前記決定された規則を示すビットストリーム・シンタックスを供給するビットストリーム発生器と、
前記決定された規則に基づいて前記ピクチャの変換された部分に対するコンテキスト共有マップを生成するマップ発生器と、を含み、
前記ピクチャの変換された部分に対して使用される前記決定された規則に基づいて前記変換係数に対して１つまたは複数のコンテキスト共有マップが生成され、前記１つまたは複数のコンテキスト共有マップが、前記複数の変換サイズのうちの少なくとも２つの異なる変換サイズから得られる前記変換係数のうちの少なくとも一部の間で共有される少なくとも１つのコンテキストを供給してなる、前記装置。
【請求項２】
ビデオ符号化器における方法であって、
複数の変換サイズを用いて得られる、ピクチャの少なくとも一部分に対する複数の変換係数を符号化するステップを含み、該符号化するステップは、
コンテキスト共有マップを生成するための規則を決定するステップであって、前記コンテキスト共有マップが、複数の異なる変換係数位置の間で共有される所与の２値でないシンタックス要素を一意的にマッピングすることによって作成された２値シーケンスの１つまたは複数のビンに対する確率モデルを示すマップとして定義される、前記ステップと、
前記決定された規則を示すビットストリーム・シンタックスを供給するステップと、
前記決定された規則に基づいて前記ピクチャの変換された部分に対するコンテキスト共有マップを生成するステップと、を含み、
前記ピクチャの変換された部分に対して使用される前記決定された規則に基づいて前記変換係数に対して１つまたは複数のコンテキスト共有マップが生成され、該１つまたは複数のコンテキスト共有マップが、前記複数の変換サイズのうちの少なくとも２つの異なる変換サイズから得られる前記変換係数のうちの少なくとも一部の間で共有される少なくとも１つのコンテキストを供給してなる、前記方法。
【請求項３】
前記変換係数が２次元変換係数であり、前記ピクチャの変換された部分に対して使用される前記決定された規則が走査順序に従った前記２次元変換係数の１次元配列へのマッピング、および前記変換係数のうちの最初のＮ個の係数の別個のコンテキストへの割り当てを指定する、請求項２に記載の方法。
【請求項４】
前記変換係数のうちの残りの係数が単一のコンテキストに割り当てられる、請求項３に記載の方法。
【請求項５】
前記走査順序がジグザグの走査順序である、請求項３に記載の方法。
【請求項６】
前記変換係数が１つの結果ビットストリームに符号化され、複数の規則が前記ピクチャの変換された部分に対して使用される前記決定された規則の候補として用いられ、前記決定された規則が前記結果ビットストリーム中で示される、請求項２に記載の方法。
【請求項７】
前記ピクチャの変換された部分に対して使用される前記決定された規則が、前記変換係数が対応するビデオ・シーケンス、ピクチャ解像度および量子化パラメータによって変わる前記ピクチャの変換された部分に使用される少なくとも２つの決定された規則を含む、請求項２に記載の方法。
【請求項８】
複数の変換サイズを用いて得られる、ピクチャの少なくとも一部分に対する複数の変換係数を復号するビデオ復号器を備える装置であって、該ビデオ復号器は、
コンテキスト共有マップを生成するための規則を決定する決定発生器であって、前記コンテキスト共有マップが、複数の異なる変換係数位置の間で共有される所与の２値でないシンタックス要素を一意的にマッピングすることによって作成された２値シーケンスの１つまたは複数のビンに対する確率モデルを示すマップとして定義される、前記決定発生器と、
前記決定された規則を示すビットストリーム・シンタックスを見つけるビットストリーム解析器と、
前記決定された規則に基づいて前記ピクチャの変換された部分に対するコンテキスト共有マップを生成するマップ発生器と、を含み、
前記ピクチャの変換された部分に対して使用される前記決定された規則に基づいて前記変換係数に対して１つまたは複数のコンテキスト共有マップが生成され、前記１つまたは複数のコンテキスト共有マップが、前記複数の変換サイズのうちの少なくとも２つの異なる変換サイズから得られる前記変換係数のうちの少なくとも一部の間で共有される少なくとも１つのコンテキストを供給してなる、前記装置。
【請求項９】
ビデオ復号器における方法であって、
複数の変換サイズを用いて得られる、ピクチャの少なくとも一部分に対する複数の変換係数を復号するステップを含み、該復号するステップは、
コンテキスト共有マップを生成するための規則を決定するステップであって、前記コンテキスト共有マップが、複数の異なる変換係数位置の間で共有される所与の２値でないシンタックス要素を一意的にマッピングすることによって作成された２値シーケンスの１つまたは複数のビンに対する確率モデルを示すマップとして定義される、前記ステップと、
前記決定された規則を示すビットストリーム・シンタックスを見つけるステップと、
前記決定された規則に基づいて前記ピクチャの変換された部分に対するコンテキスト共有マップを生成するステップと、を含み、
前記ピクチャの変換された部分に対して使用される前記決定された規則に基づいて前記変換係数に対して１つまたは複数のコンテキスト共有マップが生成され、該１つまたは複数のコンテキスト共有マップが、前記複数の変換サイズのうちの少なくとも２つの異なる変換サイズから得られる前記変換係数のうちの少なくとも一部の間で共有される少なくとも１つのコンテキストを供給してなる、前記方法。
【請求項１０】
前記変換係数が２次元変換係数であり、前記ピクチャの変換された部分に対して使用される前記決定された規則が、走査順序に従った前記２次元変換係数の１次元配列へのマッピング、および前記変換係数のうちの最初のＮ個の係数の別個のコンテキストへの割り当てを指定する、請求項９に記載の方法。
【請求項１１】
前記変換係数のうちの残りの係数が単一のコンテキストに割り当てられる、請求項１０に記載の方法。
【請求項１２】
前記走査順序がジグザグの走査順序である、請求項１０に記載の方法。
【請求項１３】
前記変換係数が１つのビットストリームから復号され、複数の規則が前記ピクチャの変換された部分に対して使用される前記決定された規則の候補として用いられ、前記ピクチャの変換された部分に対して使用される前記決定された規則が、前記ビットストリームから決定される、請求項９に記載の方法。
【請求項１４】
前記ピクチャの変換された部分に対して使用される前記決定された規則が、前記変換係数が対応するビデオ・シーケンス、ピクチャ解像度および量子化パラメータによって変わる前記ピクチャの変換された部分に使用される少なくとも２つの決定された規則を含む、請求項９に記載の方法。
【請求項１５】
符号化されたビデオ信号データを有するコンピュータ可読記憶媒体であって、
複数の変換サイズを用いて得られる、ピクチャの少なくとも一部分に対する符号化された複数の変換係数と、
コンテキスト共有マップを生成するための規則を示すビットストリーム・シンタックスであって、前記コンテキスト共有マップが、複数の異なる変換係数位置の間で共有される所与の２値でないシンタックス要素を一意的にマッピングすることによって作成された２値シーケンスの１つまたは複数のビンの確率モデルを示すマップとして定義される、前記ビットストリーム・シンタックスと、を含み、
ビデオ復号器が前記ピクチャの変換された部分に対して使用される前記規則に基づいて前記変換係数に対して１つまたは複数のコンテキスト共有マップが生成され、該１つまたは複数のコンテキスト共有マップが、前記複数の変換サイズのうちの少なくとも２つの異なる変換サイズから得られる前記変換係数のうちの少なくとも一部の間で共有される少なくとも１つのコンテキストを供給してなる、前記コンピュータ可読記憶媒体。
【手続補正２】
【補正対象書類名】明細書
【補正対象項目名】００７９
【補正方法】変更
【補正の内容】
【００７９】
本明細書では、添付の図面を参照して例示的な実施形態について述べたが、本発明の原理は、これらの具体的な実施形態に限定されるわけではなく、当業者なら、本発明の原理の範囲または趣旨を逸脱することなく様々な変更および修正をそれらの実施形態に加えることができることを理解されたい。そうした変更および修正は全て、添付の特許請求の範囲に記載する本発明の原理の範囲に含まれるものとする。
以下に本発明の他の実施形態を例示する。
［付記１］  複数の変換を用いて得られる、ピクチャの少なくとも一部分の複数の変換係数を符号化するビデオ符号化器（４００）であって、統一された規則に基づいて前記変換係数に対して１つまたは複数のコンテキスト共有マップを生成し、前記１つまたは複数のコンテキスト共有マップが、前記複数の変換のうちの少なくとも２つの異なる変換から得られる前記変換係数のうちの少なくとも一部の間で共有される少なくとも１つのコンテキストを提供する、前記ビデオ符号化器（４００）を備える装置。
［付記２］  前記変換係数が、２次元変換係数であり、前記統一された規則が、走査順序に従った前記２次元変換係数の１次元配列へのマッピング、および前記変換係数のうちの最初のＮ個の係数の別個のコンテキストへの割り当てを指定する、付記１に記載の装置。
［付記３］  前記変換係数のうちの残りの係数が、単一のコンテキストに割り当てられる、付記２に記載の装置。
［付記４］  前記走査順序が、ジグザグの走査順序である、付記２に記載の装置。
［付記５］  前記変換係数が、１つの結果ビットストリームに符号化され、複数の規則が前記統一された規則の候補として用いられ、前記統一された規則が、前記結果ビットストリーム中で示される、付記１に記載の装置。
［付記６］  前記統一された規則が、前記変換係数が対応するビデオ・シーケンス、ピクチャ解像度および量子化パラメータによって変わる少なくとも２つの統一された規則を含む、付記１に記載の装置。
［付記７］  ビデオ符号化器における方法であって、
複数の変換を用いて得られる、ピクチャの少なくとも一部分の複数の変換係数を符号化するステップであって、統一された規則に基づいて前記変換係数に対して１つまたは複数のコンテキスト共有マップを生成し、前記１つまたは複数のコンテキスト共有マップが、前記複数の変換のうちの少なくとも２つの異なる変換から得られる前記変換係数のうちの少なくとも一部の間で共有される少なくとも１つのコンテキストを提供する、前記ステップ（８００、１０００）を含む、前記方法。
［付記８］  前記変換係数が、２次元変換係数であり、前記統一された規則が、走査順序に従った前記２次元変換係数の１次元配列へのマッピング、および前記変換係数のうちの最初のＮ個の係数の別個のコンテキストへの割り当てを指定する（８２０）、付記７に記載の方法。
［付記９］  前記変換係数のうちの残りの係数が、単一のコンテキストに割り当てられる（８２０）、付記８に記載の方法。
［付記１０］  前記走査順序が、ジグザグの走査順序である（８２０）、付記８に記載の方法。
［付記１１］  前記変換係数が、１つの結果ビットストリームに符号化され、複数の規則が前記統一された規則の候補として用いられ、前記統一された規則が、前記結果ビットストリーム中で示される（１０２０）、付記７に記載の方法。
［付記１２］  前記統一された規則が、前記変換係数が対応するビデオ・シーケンス、ピクチャ解像度および量子化パラメータによって変わる少なくとも２つの統一された規則を含む（１０２０）、付記７に記載の方法。
［付記１３］  複数の変換を用いて得られる、ピクチャの少なくとも一部分の複数の変換係数を復号するビデオ復号器であって、統一された規則に基づいて前記変換係数に対して１つまたは複数のコンテキスト共有マップを生成し、前記１つまたは複数のコンテキスト共有マップが、前記複数の変換のうちの少なくとも２つの異なる変換から得られる前記変換係数のうちの少なくとも一部の間で共有される少なくとも１つのコンテキストを提供する、前記ビデオ復号器（５００）を備える装置。
［付記１４］  前記変換係数が、２次元変換係数であり、前記統一された規則が、走査順序に従った前記２次元変換係数の１次元配列へのマッピング、および前記変換係数のうちの最初のＮ個の係数の別個のコンテキストへの割り当てを指定する、付記１３に記載の装置。
［付記１５］  前記変換係数のうちの残りの係数が、単一のコンテキストに割り当てられる、付記１４に記載の装置。
［付記１６］  前記走査順序が、ジグザグの走査順序である、付記１４に記載の装置。
［付記１７］  前記変換係数が、１つのビットストリームから復号され、複数の規則が前記統一された規則の候補として用いられ、前記統一された規則が、前記ビットストリームから決定される、付記１３に記載の装置。
［付記１８］  前記統一された規則が、前記変換係数が対応するビデオ・シーケンス、ピクチャ解像度および量子化パラメータによって変わる少なくとも２つの統一された規則を含む、付記１３に記載の装置。
［付記１９］  ビデオ復号器における方法であって、
複数の変換を用いて得られる、ピクチャの少なくとも一部分の複数の変換係数を復号するステップであって、統一された規則に基づいて前記変換係数に対して１つまたは複数のコンテキスト共有マップを生成し、前記１つまたは複数のコンテキスト共有マップが、前記複数の変換のうちの少なくとも２つの異なる変換から得られる前記変換係数のうちの少なくとも一部の間で共有される少なくとも１つのコンテキストを提供する、前記ステップ（９００、１１００）を含む、前記方法。
［付記２０］  前記変換係数が、２次元変換係数であり、前記統一された規則が、走査順序に従った前記２次元変換係数の１次元配列へのマッピング、および前記変換係数のうちの最初のＮ個の係数の別個のコンテキストへの割り当てを指定する（９２０）、付記１９に記載の方法。
［付記２１］  前記変換係数のうちの残りの係数が、単一のコンテキストに割り当てられる（９２０）、付記２０に記載の方法。
［付記２２］  前記走査順序が、ジグザグの走査順序である（９２０）、付記２０に記載の方法。
［付記２３］  前記変換係数が、１つのビットストリームから復号され、複数の規則が前記統一された規則の候補として用いられ、前記統一された規則が、前記ビットストリームから決定される（１１２０）、付記１９に記載の方法。
［付記２４］  前記統一された規則が、前記変換係数が対応するビデオ・シーケンス、ピクチャ解像度および量子化パラメータによって変わる少なくとも２つの統一された規則を含む（１１２０）、付記１９に記載の方法。
［付記２５］  符号化されたビデオ信号データを有するコンピュータ可読記憶媒体であって、
複数の変換を用いて得られる、ピクチャの少なくとも一部分についての符号化された複数の変換係数であって、統一された規則に基づいて前記変換係数に対して１つまたは複数のコンテキスト共有マップが生成され、前記１つまたは複数のコンテキスト共有マップが、前記複数の変換のうちの少なくとも２つの異なる変換から得られる前記変換係数のうちの少なくとも一部の間で共有される少なくとも１つのコンテキストを提供する、前記変換係数を含む、前記コンピュータ可読記憶媒体。